(57)【要約】第１のＢＳＣと第１のＢＴＳとの間のネットワークを介して第１の制御チャネルを確立することを含む、ソフトハンドオフを実行する方法。また、この方法は、第２のＢＳＣと第２のＢＴＳとの間のネットワークを介して第２の制御チャネルを確立することを含む。移動局（ＭＳ）と第１のＢＴＳとの間の呼が確立され、呼が継続する間、ＭＳが第２のＢＴＳから信号を受信したという表示が第１のＢＳＣに送信される。表示に応じて、トリガーは第１のＢＳＣから第２のＢＴＳまで伝達され、第２のＢＴＳでトリガーを受信することに応じて、第２のＢＳＣを介してさらなるトラヒックを伝達することなしに、ＭＳ、第２のＢＴＳおよび第１のＢＳＣとの間で、呼に関連するさらなるトラヒックが方向づけられる。
2008505560.tif 000002
【特許請求の範囲】
【請求項１】
ソフトハンドオフを実行する方法において、
第１の基地局コントローラー（ＢＳＣ）と第１の基地トランシーバー局（ＢＴＳ）との間のネットワークを介して第１の制御チャネルリンクを確立することであって、前記第１の制御チャネルリンクは、前記第１のＢＳＣが前記第１のＢＴＳの動作を制御することを可能にすることと、
第２のＢＳＣと第２のＢＴＳとの間のネットワークを介して第２の制御チャネルリンクを確立することであって、前記第２の制御チャネルリンクは、前記第２のＢＳＣが前記第２のＢＴＳの動作を制御することを可能にすることと、
前記第１のＢＳＣの制御の下で前記システム内に呼を確立することと、
前記呼を実施し続ける間、移動局（ＭＳ）が前記第２のＢＴＳから信号を受信したという表示を前記第１のＢＳＣに伝達することと、
前記表示に応答して、前記第１のＢＳＣからの呼転送制御トリガーを前記ネットワークを介して前記第２のＢＴＳに伝達することと、
第２のＢＴＳにおいて、前記呼転送制御トリガーを受信することに応答して、前記第２のＢＳＣを介してさらなるトラヒックを伝達することなしに、前記ＭＳ、前記第２のＢＴＳ、および前記第１のＢＳＣとの間で前記呼に関連するさらなるトラヒックを方向づけることと、
を備えた方法。
【請求項２】
前記第１の制御チャネルリンクを確立することは、前記第１のＢＳＣと前記第１のＢＴＳとの間に第１の信頼できる接続を確立することと、前記第１の制御リンクのために前記第１の信頼できる接続を使用することを備え、前記第２の制御チャネルリンクを確立することは、前記第２のＢＳＣと前記第２のＢＴＳとの間に第２の信頼できる接続を確立することと、前記第２の制御リンクのために前記第２の信頼できる接続を使用することを備えた、請求項１に記載の方法。
【請求項３】
前記第２のＢＴＳから受信した信号はパイロット信号を備える、請求項１に記載の方法。
【請求項４】
前記第１のＢＳＣと前記第２のＢＴＳとの間の前記ネットワーク内の接続を確立することを備え、前記呼転送制御トリガーを伝達することは前記接続を介して前記トリガーを伝達することを備えた、請求項１に記載の方法。
【請求項５】
前記接続は信頼できる接続を備えた、請求項４に記載の方法。
【請求項６】
前記ネットワークは、インターネットプロトコルの下で動作するパケットスイッチングネットワークを備える、請求項１に記載の方法。
【請求項７】
前記さらなるトラヒックから、および前記ＭＳ、前記第１のＢＴＳ、および前記第１のＢＳＣの間で伝達される前記呼に関連するトラヒックからの前記呼のための最適な信号を発生することを備えた、請求項１に記載の方法。
【請求項８】
前記第１のＢＳＣと第３のＢＴＳとの間の前記ネットワークを介して第３の制御チャネルリンクを確立することであって、前記第３の制御チャネルリンクは、前記第１のＢＳＣが前記第３のＢＴＳの動作を制御可能にすることと、
前記ＭＳと前記第１のＢＴＳとの間の前記システムにおいてさらなる呼を確立することと、
前記さらなる呼を実施し続けている間、前記ＭＳが前記第３のＢＴＳから信号を受信したというさらなる表示を前記第１のＢＳＣに伝達することと、
前記さらなる表示に応答して、前記ＭＳ、前記第３のＢＴＳ、および前記第１のＢＳＣとの間の前記さらなる呼に関連するさらなるトラヒックを方向づけることと、
を備えた、請求項１に記載の方法。
【請求項９】
前記呼を確立することは、トラヒック、および非接続プロトコルを用いた前記呼に関連するさらなるトラヒックを伝達することを備えた、請求項１に記載の方法。
【請求項１０】
ソフトハンドオフを実行するための装置において、
第１の基地トランシーバー局（ＢＴＳ）と、
前記第１のＢＴＳと第１の基地局コントローラー（ＢＳＣ）との間のネットワークを介して第１の制御チャネルリンクを確立するように適合された第１の基地局コントローラー（ＢＳＣ）であって、前記第１の制御チャネルリンクは、前記第１のＢＳＣが前記第１のＢＴＳの動作を制御することを可能にする、第１のＢＳＣと、
第２のＢＴＳと、
前記第２のＢＴＳと第２のＢＳＣとの間の前記ネットワークを介して第２の制御チャネルリンクを確立するように適合された第２のＢＳＣであって、前記第２の制御チャネルリンクは、前記第２のＢＳＣが前記第２のＢＴＳの動作を制御することを可能にする、第２のＢＳＣと、
を備え、前記第１のＢＳＣは、移動局（ＭＳ）が前記第２のＢＴＳから信号を受信したという前記第１のＢＳＣへの表示に応答して、前記ネットワークを介して、前記第１のＢＳＣから前記第２のＢＴＳへ呼転送制御トリガーを伝達するように適合され、前記第２のＢＴＳは、前記呼転送制御トリガーに応答して、前記第２のＢＳＣを介して前記さらなるトラヒックを伝達せずに、前記ＭＳ、前記第２のＢＴＳ、および前記第１のＢＳＣとの間の前記呼に関連するさらなるトラヒックを方向づけるように適合される、装置。
【請求項１１】
前記第１の制御チャネルリンクを確立することは、前記第１のＢＳＣと前記第１のＢＴＳとの間に第１の信頼できる接続を確立することと、前記第１の制御リンクのために前記第１の信頼できる接続を使用することとを備え、前記第２の制御チャネルリンクを確立することは、前記第２のＢＳＣと前記第２のＢＴＳとの間に第２の信頼できる接続を確立することと、前記第２の制御リンクのために前記第２の信頼できる接続を使用することとを備えた、請求項１０に記載の装置。
【請求項１２】
前記第２のＢＴＳから受信された信号はパイロット信号を備える、請求項１０に記載の装置。
【請求項１３】
前記第１のＢＳＣは、前記第１のＢＳＣと前記第２のＢＴＳとの間のネットワーク内に接続を確立するように適合され、前記呼転送制御トリガーを伝達することは、前記接続を介して前記トリガーを伝達することを備えた、請求項１０に記載の装置。
【請求項１４】
前記接続は信頼できる接続を備えた、請求項１３に記載の装置。
【請求項１５】
前記ネットワークは、インターネットプロトコルの下で動作するパケットスイッチングネットワークを備えた、請求項１０に記載の装置。
【請求項１６】
前記第１のＢＳＣは、前記さらなるトラヒック、および前記ＭＳ、前記第１のＢＴＳ、および前記第１のＢＳＣとの間で伝達される前記呼に関連するトラヒックから前記呼のための最適な信号を発生するように適合される、請求項１０に記載の装置。
【請求項１７】
前記第１のＢＳＣは、前記第１のＢＳＣと第３のＢＴＳとの間の前記ネットワークを介して第３の制御チャネルリンクを確立するように適合され、前記第３の制御チャネルリンクは前記第１のＢＳＣが前記第３のＢＴＳの動作を制御することを可能にし、前記ＭＳは、前記ＭＳと前記第１のＢＴＳとの間の前記システム内にさらなる呼を確立するように適合され、前記さらなる呼を実施し続ける間、ＭＳが前記第３のＢＴＳから信号を受信したというさらなる表示を前記第１のＢＳＣに伝達し、前記第１のＢＳＣは、前記さらなる表示に応答して、前記ＭＳ、前記第３のＢＴＳ、および前記第１のＢＳＣとの間の前記さらなる呼に関連するさらなるトラヒックを方向づけるように適合される、請求項１０に記載の装置。
【請求項１８】
前記呼を確立することは、トラヒック、および非接続プロトコルを用いて前記呼に関連するさらなる呼を伝達することを備えた、請求項１０に記載の装置。
【請求項１９】
ソフトハンドオフを実行するための装置において、
第１の基地局コントローラー（ＢＳＣ）と第１の基地トランシーバー局（ＢＴＳ）との間のネットワークを介して第１の制御チャネルリンクを確立する手段であって、前記第１の制御チャネルリンクは前記第１のＢＳＣが前記第１のＢＴＳの動作を制御することを可能にする、手段と、
第２のＢＳＣと第２のＢＴＳとの間のネットワークを介して第２の制御チャネルリンクを確立する手段であって、前記第２の制御チャネルリンクは、前記第２のＢＳＣが前記第２のＢＴＳの動作を制御することを可能にする、手段と、
前記第１のＢＳＣの制御の下で前記システム内に呼を確立する手段と、
前記呼を実施し続ける間、移動局（ＭＳ）は第２のＢＴＳから信号を受信したという表示を前記第１のＢＳＣに伝達する手段と、
前記表示に応答して、呼転送制御トリガーを前記第１のＢＳＣから前記第２のＢＴＳに前記ネットワークを介して伝達する手段と、
前記第２のＢＴＳにおける前記呼転送制御トリガーを受信することに応答して、前記第２のＢＳＣを介してさらなるトラヒックを伝達することなしに、前記ＭＳ、前記第２のＢＴＳ、および前記第１のＢＳＣ間の前記呼に関連するさらなるトラヒックを方向づける手段と、
を備えた装置。
【請求項２０】
前記第１の制御チャネルリンクを確立する手段は、前記第１のＢＳＣと前記第１のＢＴＳとの間の第１の信頼できる接続を確立し、前記第１の制御リンクのための前記第１の信頼できる接続を使用する手段を備え、前記第２の制御チャネルリンクを確立する手段は、前記第２のＢＳＣと前記第２のＢＴＳとの間の第２の信頼できる接続を確立する手段と、前記第２の制御リンクのために前記第２の信頼できる接続を使用する手段とを備えた、請求項１９に記載の装置。
【請求項２１】
前記第２のＢＴＳから受信した信号はパイロット信号を備えた、請求項１９に記載の装置。
【請求項２２】
前記第１のＢＳＣと前記第２のＢＴＳとの間の前記ネットワーク内に接続を確立する手段を備え、前記呼転送制御トリガーを伝達する手段は、前記接続を介して前記トリガーを伝達する手段を備える、請求項１９に記載の装置。
【請求項２３】
前記接続は信頼できる接続を備えた、請求項２２に記載の装置。
【請求項２４】
前記ネットワークは、インターネットプロトコルの下で動作するパケットスイッチングネットワークを備えた、請求項１９に記載の装置。
【請求項２５】
前記さらなるトラヒック、および前記ＭＳ、前記第１のＢＴＳ、および前記第１のＢＳＣの間で伝達される前記呼に関連するトラヒックからの呼のための最適な信号を発生する手段を備えた、請求項１９に記載の装置。
【請求項２６】
前記第１のＢＳＣと第３のＢＴＳとの間のネットワークを介して第３の制御チャネルリンクを確立する手段であって、前記第３の制御チャネルリンクは、前記第１のＢＳＣが前記第３のＢＴＳの動作を制御可能にする、手段と、
前記ＭＳと前記第１のＢＴＳとの間の前記システム内にさらなる呼を確立する手段と、
前記さらなる呼を実施し続けている間、前記ＭＳが前記第３のＢＴＳから信号を受信したというさらなる表示を伝達する手段と、
前記さらなる表示に応答して、前記ＭＳ、前記第３のＢＴＳ、および前記第１のＢＳＣ間の前記さらなる呼に関連するさらなるトラヒックを方向づける手段と、
を備えた、請求項１９に記載の装置。
【請求項２７】
前記呼を確立する手段は、トラヒック、および非接続プロトコルを用いて前記呼に関連するさらなるトラヒックを確立する手段を備えた、請求項１９に記載の装置。
【発明の詳細な説明】
【関連出願の記載】
【０００１】
この出願は、参照することによりここに組み込まれる、２００４年６月２９日出願の「ＢＳＣ間ソフトハンドオフのための方法および装置］(METHODS AND APPARATUS FOR INTER-BSC SOFT HANDOFF)というタイトルの米国仮出願第６０／５８４，４３６の利益を主張する。
【技術分野】
【０００２】
この発明の実施形態は一般にセルラー電話通信に関連し、特にそのような通信のソフトハンドオフに関する。
【背景技術】
【０００３】
ソフトハンドオフはプロセスであり、それにより、符号分割多重アクセス（ＣＤＭＡ）通信システムにおいて、１つの移動局（ＭＳ）は、２以上のセクターおよび／または２以上のセルと実質的に同時に通信してもよい。典型的に、このプロセスは、１つのセルまたはセクターから他のセルまたはセクターへの転送期間中に生じる。バージニア州アーリントンの米国電気通信工業会（ＴＩＡ）によって発行されたＣＤＭＡシステムのためのＴＩＡ／ＥＩＡ／ＩＳ−２００１．３−Ｂ規格はどのようにしてソフトハンドオフが実施されてもよいかを記載する。この規格は参照することによりここに組み込まれる。
【０００４】
ＣＤＭＡシステムは通常「Ａ」インターフェースを介してモバイルスイッチングセンター（ＭＳＣ）と通信する多数の基地局コントローラー（ＢＳＣｓ）を有する。各ＢＳＣは典型的に、ポイントツーポイント地理的構成において、Ａｂｉｓセッションにおいて「Ａｂｉｓ」インターフェースを介して通信する多数の基地トランシーバー局（ＢＴＳｓ）、ＢＳＣおよびＢＴＳｓに接続される。特定のＢＳＣは、特定のＢＳＣが接続されるＢＴＳｓの行動を制御する。特定のＢＳＣは、呼のセットアップおよび分解ならびに管理業務のような活動のためにＢＴＳｓにより使用される。次に、ＢＴＳｓは、ＣＤＭＡ無線インターフェースを介してＭＳｓと無線で通信する。さらに、ＢＳＣｓはＡ３／Ａ７インターフェースを介して互いに通信してもよい。各インターフェースは技術的に知られているシグナリングプロトコルに相当する。例えば、Ａ３／Ａ７インターフェースは、上で参照したＴＩＡ規格に記載される。ＡｂｉｓインターフェースはＴＩＡにより発行されたＴＩＡ／ＥＩＡ−８２８規格に記載され、これは参照することによりここに組み込まれる。
【０００５】
ＭＳが２以上のＢＴＳｓと同時に通信するときソフトハンドオフが生じる。ＢＴＳｓは同じＢＳＣに接続されてもよいし、および／または異なるＢＳＣｓに接続されてもよい。技術的に知られているシステムにおいて、すべてのＢＴＳｓが１つのＢＳＣに接続されるなら、関係しているインターフェースはＣＤＭＡ無線インターフェースおよびＡｂｉｓインターフェースである。ＢＴＳｓが２つ以上のＢＳＣｓに接続されるなら、通信は３つのインターフェースを使用する。すなわち、ＢＳＣｓ間のＣＤＭＡ無線インターフェース、ＡｂｉｓインターフェースおよびＡ３／Ａ７インターフェースである。
【発明の概要】
【０００６】
発明の実施形態において、符号分割多重アクセス（ＣＤＭＡ）システムの基地局コントローラー（ＢＳＣｓ）は、ネットワーク、典型的には、インターネットプロトコルのようなプロトコルの下で動作するパケットスイッチングネットワークを介してシステムの基地トランシーバー局（ＢＴＳｓ）とリンクされる。従って各ＢＴＳは、複数のリンクを介して多くのＢＳＣｓとの通信を確立することができる。各ＢＳＣは複数のリンクを介して多くのＢＴＳｓとの通信を確立することができる。
【０００７】
各ＢＴＳは、典型的には地理的ベースであるＢＳＣと関係づけられる。各ＢＳＣは、ネットワークを介して関係づけられたＢＴＳｓとの制御チャネルリンクを維持する。制御チャネルリンクは、ＢＳＣが関係づけられたＢＴＳｓに対して、呼セットアップのような特定のタスクをＢＳＣが管理することを可能にする。
【０００８】
ＢＴＳが関係づけられるＢＳＣとの制御チャネルリンクに加えて、所定のＢＴＳもリンクを用いてソフトハンドオフの期間中に他のＢＳＣｓと直接通信してもよい。この種のダイレクト通信は、技術的に知られたシステムで使用されるハンドオフモデルとは区別される。技術的に知られたシステムで使用されるハンドオフモデルでは、各ＢＴＳはＢＴＳが関係づけられたＢＳＣとのみ通信する。特に、所定のＢＳＣは、他のＢＳＣｓと関係づけられるが与えられたＢＳＣと関係づけられたＢＴＳｓのサービスエリアと重畳する送信サービスエリアを有するＢＴＳｓとの通信セッションを開いてもよい。(これらのＢＴＳｓはここでは隣接ＢＴＳｓという名前が付けられる。）その結果、隣接ＢＴＳｓは、所定のＢＳＣとのみ通信することにより関係づけられたＢＴＳとソフトハンドオフを実行することができる。このモデルは、両方のＢＳＣｓが関連していなければならない技術的に知られたシステム内のＢＳＣ間ハンドオフと対照的である。従って、このモデルはより効率的な、信頼できるソフトハンドオフを可能にし、ＢＳＣ間ハンドオフシステムに比べてハードウエアコストも低減する。
【０００９】
ソフトハンドオフの第１のタイプにおいて、ここではアンカーＢＳＣという名前が付けられたＢＳＣと関係付けられた第１のＢＴＳを介して呼を実施する移動局（ＭＳ）は、第１のＢＴＳに隣接する第２のＢＴＳからのパイロット信号を受信する。第２のＢＴＳはアンカーＢＳＣとは異なるターゲットＢＳＣという名前が付けられたＢＳＣと関係づけられる。ＭＳはパイロット信号の受信の通知をアンカーＢＳＣに送信する。次に、アンカーＢＳＣは、ＭＳとの呼トラヒックを第２のＢＴＳからアンカーＢＳＣに第２のＢＴＳに送らせる第２のＢＴＳにトリガーを送信する。従って、第２のＢＴＳが異なるＢＳＣと関係づけられているにもかかわらず、アンカーＢＳＣは、２つの隣接ＢＴＳｓからアップリンク呼トラヒック信号を受信する。他のＢＳＣは他のＢＳＣが最適なアップリンク信号を見つけるために受信するアップリンク呼トラヒック信号を処理する。同様の方法で、ダウンリンク呼トラヒック信号は、アンカーＢＳＣから２つの隣接ＢＴＳｓに送信される。ＭＳはＢＴＳｓから送信を受信し、最適なダウンリンク信号を見つけるために受信する送信を処理する。
【００１０】
同じＢＳＣに関係づけられた２つのＢＴＳｓの間で、実質的に同様のプロセスは第２のタイプのソフトハンドオフに適用されてもよい。２つのタイプ間の差は、第２のタイプのソフトハンドオフの期間に、信号を新ルートで送ることを実行する必要がないことである。両方のタイプのソフトハンドオフに対して１つのプロトコルを用いることは、ネットワークの動作の効率を改善し、第１のタイプのソフトハンドオフにおいてＢＳＣｓ間で呼トラヒックを転送する必要性を消去する。
【００１１】
それゆえ、この発明の実施形態に従って、下記を含むソフトハンドオフを実行する方法が提供される。
【００１２】
すなわち、第１の基地局コントローラー（ＢＳＣ）と第１の基地トランシーバー局（ＢＴＳ）との間のネットワークを介して第１の制御チャネルリンクを確立することであって、第１の制御チャネルリンクは、第１のＢＳＣが第１のＢＴＳの動作を制御することを可能にすることと、
第２のＢＳＣと第２のＢＴＳとの間のネットワークを介して第２の制御チャネルリンクを確立することであって、第２の制御チャネルリンクは、第２のＢＳＣが第２のＢＴＳの動作を制御することを可能にすることと、
第１のＢＳＣの制御の下で移動局（ＭＳ）と第１のＢＴＳとの間のシステム内に呼を確立することと、
呼を実施し続ける間、ＭＳが第２のＢＴＳから信号を受信したという通知を第１のＢＳＣに運ぶことと、
通知に応答して、第１のＢＳＣからの呼転送制御トリガーをネットワークを介して第２のＢＴＳに運ぶことと、
第２のＢＴＳにおいて呼転送制御トリガーを受信することに応答して、第２のＢＳＣを介してさらなるトラヒックを運ぶことなく、ＭＳと、第２のＢＴＳと、第１のＢＳＣとの間の呼に関連するさらなるトラヒックを方向づけることとを含む。
【００１３】
典型的に、第１の制御チャネルリンクを確立することは、第１のＢＳＣと第１のＢＴＳとの間に第１の信頼できる接続を確立することと、第１の制御リンクのための第１の信頼できる接続を用いることとを含む。第２の制御チャネルリンクを確立することは、第２のＢＳＣと第２のＢＴＳとの間に第２の信頼できる接続を確立することと、第２の制御リンクのための第２の信頼できる接続を用いることとを含む。
【００１４】
一実施形態において、第２のＢＴＳから受信された信号はパイロット信号である。
【００１５】
また、この方法は、第１のＢＳＣと第２のＢＴＳとの間のネットワークに接続を確立することを含んでいてもよく、呼転送制御トリガーを運ぶことは、接続を介してトリガーを運ぶことを含む。接続は典型的には信頼できる接続である。
【００１６】
ネットワークは、インターネットプロトコルの下で動作するパケットスイッチングネットワークを含んでいてもよい。
【００１７】
また、この方法は、さらなるトラヒック、およびＭＳ、第１のＢＴＳおよび第１のＢＳＣの間で運ばれる呼に関連するトラヒックからの呼のための最適な信号を発生することを含んでいてもよい。
【００１８】
開示された実施形態において、方法は下記を含む。
【００１９】
第１のＢＳＣと第３のＢＴＳとの間のネットワークを介して第３の制御チャネルリンクを確立することであって、第３の制御チャネルリンクは、第１のＢＳＣが第３のＢＴＳの動作を制御することを可能にすることと、
ＭＳと第１のＢＴＳとの間のシステムにおいてさらなる呼を確立することと、
さらなる呼を実施し続ける間に、ＭＳが第３のＢＴＳから信号を受信したというさらなる表示を伝達することと、
さらなる表示に応答して、ＭＳと、第３のＢＴＳと第１のＢＳＣとの間のさらなる呼に関連するさらなるトラヒックを方向づけることとを含む。
【００２０】
呼を確立することは、トラヒックおよび非接続のプロトコルを用いて呼に関連するさらなるトラヒックを伝達することを含んでいてもよい。
【００２１】
さらに、この発明の実施形態に従って、下記を備えたソフトハンドオフを実行するための装置が提供される。
【００２２】
第１基地トランシーバー局（ＢＴＳ）と、
第１のＢＴＳと第１のＢＳＣの間のネットワークを介して第１の制御チャネルリンクを確立するように適合された第１の基地局コントローラー（ＢＳＣ）であって、第１の制御チャネルリンクは、第１のＢＳＣが第１のＢＴＳの動作を制御することを可能にする、第１の基地局コントローラー（ＢＳＣ）と、
第２のＢＴＳと、
第２のＢＴＳと第２のＢＳＣとの間のネットワークを介して第２の制御チャネルリンクを確立するように適合された第２のＢＳＣであって、第２の制御チャネルリンクは、第２のＢＳＣが第２のＢＴＳの動作を制御することを可能にする、第２のＢＳＣと、
第１のＢＳＣの制御の下で、ＭＳと第１のＢＴＳとの間のシステム内に呼を確立するように適合された移動局（ＭＳ）であって、呼を実施し続ける間にＭＳが第２のＢＴＳから信号を受信したことを示す表示を第１のＢＳＣに伝達し、第１のＢＳＣは、表示に応答して、ネットワークを介して第１のＢＳＣから第２のＢＴＳに呼転送制御トリガーを伝達するように適合され、
第２のＢＴＳは、呼転送制御トリガーを受信することに応答して、第２のＢＳＣを介してさらなるトラヒックを伝達することなく、ＭＳ、第２のＢＴＳおよび第１のＢＳＣとの間で呼に関連するさらなるトラヒックを方向づけるように適合される。
【００２３】
発明の実施形態は、図面とひとまとめにして、実施形態の以下の詳細な記載からより完全に理解されるであろう。図面の簡単な説明は以下に与えられる。
【発明を実施するための最良の形態】
【００２４】
「移動局」は音声および／またはデータ接続性をユーザーに供給する装置を指す。
【００２５】
移動局は、ラップトップコンピューターまたはデスクトップコンピューターのような計算装置に接続されていてもよく、または移動局はパーソナルデジタルアシスタントのような内蔵型の装置であってよい。また、移動局はアクセス端末、加入者局、加入者ユニット、移動局、無線装置、モバイル、遠隔局、遠隔端末、ユーザー端末、ユーザーエージェント、またはユーザー機器と呼ぶことができる。加入者局は、携帯電話、ＰＣＳ電話、コードレス電話、セッションイニシエーションプロトコル（ＳＩＰ）電話、無線ローカルループ（ＷＬＬ）局、パーソナルデジタルアシスタント（ＰＤＡ）、無線接続能力を有するハンドヘルド装置、または無線モデムに接続される他の処理装置であってもよい。
【００２６】
ベーストランシーバー局（ＢＴＳ）と基地局コントローラー（ＢＳＣ）の組み合わせはまた「アクセスポイント」と呼ばれてもよい。アクセスポイントは、１つ以上のセクターを介して、無線インターフェースを介してアクセス端末または他のアクセスポイントと通信するアクセスネットワーク内の装置を指す。アクセスポイントはアクセス端末とほかのアクセスネットワークとの間のルーターとして動作する。アクセスネットワークは、受信したエアーインターフェースフレームをＩＰパケットに変換することによりＩＰネットワークを含んでいてもよい。また、アクセスポイントはエアーインターフェースのための属性の管理を調整する。
【００２７】
今図１が参照される。図１は、この発明の実施形態に従って、符号分割多重アクセス（ＣＤＭＡ）セルラーシステム１０の略図である。ＣＤＭＡシステムは実例の目的のために使用される。この発明の実施形態は、異なる変調スキームを用いたシステムに採用されてもよいことが意図される。例えば広帯域符号分割多重アクセス（ＷＣＤＭＡ）、周波数分割多重アクセス（ＦＤＭＡ）、時分割多元接続（ＴＤＭＡ）、あるいは直交周波数分割多重アクセス（ＯＦＤＭＡ）変調スキームも使用されてもよい。
【００２８】
第１の基地局コントローラー２０（ＢＳＣＩ）は、第１の複数の一般的に類似の基地トランシーバー局（ＢＴＳｓ）１４Ｂ、１４Ｃ、・・・と関係づけられる。第２のＢＳＣ５０（ＢＳＣ２）は第２の複数の一般的に類似のＢＴＳｓ３４Ａ、・・・と関係づけられる。明確にするために第１の複数のＢＴＳ１４ＢおよびＢＴＳ１４Ｃのみ、および第２の複数のＢＴＳ３４Ａのみが図１に示される。各ＢＳＣは、関連づけられたＢＴＳｓの各々に対して、呼セットアップおよび解体のような特定のタスクに関与する。また、各ＢＳＣは関連づけられたＢＴＳｓのネットワーク管理組織にも関与する。その加入は典型的に地理的ベースで割り当てられる。その結果、一例として、図１は、ＢＴＳ１４ＢおよびＢＴＳ１４Ｃを含む地理的サービスエリア（ＧＣＡ）を有するものとしてＢＳＣ１を示し、ＢＴＳ３４Ａを含むＧＣＡを有するものとしてＢＳＣ２を示す。加入に関連した特性は以下により詳細に記載される。ＢＳＣｓはモバイルスイッチングセンター（ＭＳＣ）２２と通信する。
【００２９】
発明の実施形態において、システム１０のエレメントは、ＭＳＣ、ＢＳＣｓ、およびＢＴＳｓを含み、ネットワーク１６に組み込まれる。ネットワーク１６はこれらのエレメントの各々がシステムの他のエレメントと通信リンクをセットアップすることを可能にする。典型的に地上通信線および／またはネットワークエレメント間のマイクロ波リンクにより実施される、論理接続２１はネットワーク１６を形成するために使用される。ネットワークエレメント間で形成された特定の論理接続の例は、以下により詳細に記載される。以下に、一例として、ネットワーク１６は、インターネットプロトコル（ＩＰ）を用いたパケットスイッチングネットワークであるように仮定される。以下により詳細に記載されるように、ＩＰネットワークのエレメント間の通信は２つのトランスポートプロトコルの１つを使用する。ここでは、ユーザーデータグラムプロトコル（ＵＤＰ）であると仮定される非接続プロトコル、またはここでは、送信制御プロトコル（ＴＣＰ）であると仮定される信頼できる接続プロトコルの２つである。この発明の実施形態は、特定のタイプのネットワークまたは特定のタイプのプロトコルを用いた動作に限定されず、実質的に任意の適切なネットワークおよび／またはシステムのエレメント間の複数の接続ベースのまたは非接続リンクが、ＭＳＣ、ＢＳＣｓ、ＢＴＳｓ間の通信のために使用されてもよいことが理解されるであろう。
【００３０】
各ＢＴＳはそれぞれの地理的送信領域を有する。その送信領域内の移動局はＢＴＳと通信することができる。システム１０のＢＴＳｓの送信領域は図１に概略的に図解され、添え字Ｒにより識別される。従って、ＢＴＳ１４Ｂの送信領域は領域１４ＢＲである。システム１０はＢＴＳｓの地理的送信領域を重なり合うようにまたは隣接するように構成することにより動作する。システム１０において、移動局（ＭＳ）１２は、とりわけ移動局が物理的に配置される送信エリアまたは複数の送信エリアに従って、ＢＴＳｓと無線で通信することができる。
【００３１】
ＢＳＣＩとＢＴＳｓ１４Ｂ，１４Ｃ、・・・との間のＡｂｉｓインターフェースのようなインターフェースは、ＢＳＣとＢＴＳｓとの間に信頼できる論理接続を確立するために使用される。そして、Ａｂｉｓインターフェースを用いて接続は、Ａｂｉｓセッションと名前が付けられる。他のタイプの通信システムにおいて、異なるインターフェースは、そのようなインフラストラクチャサブシステム間の論理接続として使用されてもよい。Ａｂｉｓセッションを確立するために、ＢＳＣＩは、Ａｂｉｓサーバー１７、および各々がＡｂｉｓクライアント１８を有するＢＴＳｓ１４Ｂ、１４Ｃを有する。同様に、ＢＳＣ２は、Ａｂｉｓインターフェースを介してＢＴＳｓと信頼できる論理接続をセットアップし、ＢＳＣ２はＡｂｉｓサーバー１７および各々がＡｂｉｓクライアント１８を有するＢＴＳｓ３４Ａ、・・・を有する。各Ａｂｉｓサーバーは、接続を確立するためにＡｂｉｓクライアントからの要求を待つ。Ａｂｉｓインターフェースを用いて形成された接続はＴＣＰ／ＩＰ接続である。
【００３２】
発明の他の実施形態において、ＢＳＣｓとＢＴＳｓとの間に送信された呼データは、音声フレーム、すなわち、基本チャネル（ＦＣＨ）トラヒックフレーム、および／またはデータフレーム、すなわち、補足チャネル（ＳＣＨ）トラヒックフレームを備えていてもよい。さらに、呼データは、ネットワーク１０において動作している、ページングチャネルおよびパイロットチャネルのような他のチャネルのための情報を備えていてもよい。以下により詳細に記載されるように、呼データは、ＵＤＰパケットとしてＢＳＣｓとＢＴＳｓとの間に送信される。
【００３３】
上述した加入に戻って参照すると、関連づけられたＢＴＳｓのためにその義務を実行するために、各ＢＳＣは、そのＡｂｉｓセッションを介してこれらのＢＴＳｓとのそれぞれの制御チャネルリンクを開く。各ＢＳＣはその制御チャネルリンクを使用してその義務に関するコマンドおよび情報を転送する。義務は、呼セットアップ期間中のＢＴＳｓとＭＳにおけるリソースの割り当てを含み、解体中にリソースデアロケーションを含む。
【００３４】
システム１０において、２つのタイプのソフトハンドオフがある。両方は、２以上のＢＴＳから送信エリアを有する領域内にＭＳ１２があるときに生じる。第１のタイプのソフトハンドオフは、複数の送信エリアが、同じ制御ＢＳＣを有さないＢＴＳｓからものである領域内にＭＳ１２があるとき生じる。そのような領域は図１の領域Ａである。第２のタイプのソフトハンドオフは、複数の送信エリアがコントローラーとして同じＢＳＣを有するＢＴＳｓからものである領域内にＭＳがあるとき生じる。領域Ｂはそのような領域の例である。
【００３５】
図２はシステム１０においてソフトハンドオフを実行する際に実施されるステップを示すフローチャート１００である。図３は第１のタイプのソフトハンドオフにおいて発生される信号シーケンスを図解する。図４は発明の実施形態に従って第２のタイプのソフトハンドオフにおいて発生された信号シーケンスを図解する。
【００３６】
フローチャート１００の第１のステップ１０２において、各ＢＳＣは、関連づけられたＢＴＳｓとのそれぞれのＡｂｉｓセッションを確立し、次に、Ａｂｉｓセッションを介して関連づけられたＢＴＳｓに対するそれぞれの制御リンクを確立する。ステップ１０２において確立されたＡｂｉｓセッションおよび制御リンクは、ネットワーク１６により動作されるプロトコルに従って送信されるパケットおよび／データを使用する。
【００３７】
第２のステップ１０３において、各ＢＳＣは、関連づけられたＢＴＳｓに隣接するＢＴＳｓとＡｂｉｓセッションを確立する。この明細書およびクレームにおいて、所定のＢＴＳの隣接するＢＴＳは、所定のＢＴＳとソフトハンドオフを実行することができるＢＴＳであるが、２つのＢＴＳｓは、同じＢＳＣに関連づけられていない。隣接するＢＴＳｓの概念を説明するために以下の例は、図１に示す概略送信エリアを使用する。第１の例において、ＢＴＳ１４Ｂは、ＢＴＳ１４Ｃとソフトハンドオフができるのみである。なぜならば、ＢＴＳ１４Ｂの送信エリアは、ＢＴＳ１４Ｃのエリアと重なり合っているからである。従って、ＢＴＳ１４Ｂは隣接するＢＴＳｓを有していない。第２の例において、ＢＴＳ１４Ｃは、ＢＴＳ３４Ａ（並びにＢＴＳ１４Ｂ）とソフトハンドオフを実行することができる。なぜならば、２つのＢＴＳ１４ＣとＢＴＳ３４Ａの送信エリアが重なり合うからである。この場合、ＢＴＳ１４ＣとＢＴＳ３４Ａは異なるＢＳＣｓにより制御されるので、それらは隣接するＢＴＳｓである。
【００３８】
ステップ１０２および１０３で確立されたリンクは、図１、３、および４に図解される。ＢＳＣは、これらのＢＴＳｓを有したＡｂｉｓセッションを介してＢＴＳ１４Ｃとの制御リンクおよびＢＴＳ１４Ｂとの制御リンクを確立する。ＢＳＣ２はそれぞれのＡｂｉｓセッションを介してＢＴＳ３４Ａとの制御リンクを確立する。さらに、ＢＳＣＩはＢＴＳ３４ＡとのＡｂｉｓセッションを確立する。明確にするために、ステップ１０２および１０３において確立されてもよい他のＡｂｉｓセッションは図１、３、または４には示されていない。そのようなリンクは、ＢＳＣ２およびＢＴＳ１４Ｃとの間に確立されたＡｂｉｓセッションを含む。
【００３９】
第３のステップ１０４において、ＭＳ１２とＢＴＳｓの１つ、一例としてＢＴＳ１４Ｃであると仮定されここでは、イニシャルＢＴＳと名前が付けられたＢＴＳとの間で呼がセットアップされる。呼は、ＭＳ１２とＢＴＳ１４Ｃとの間のアップリンク信号およびダウンリンク信号の両方を備え、ＭＳ１２は、ＢＴＳ１４Ｃからパイロット信号を受信すると呼をセットアップすることができる。ステップ１０４において使用される信号は概略的に図３および図４に示される。呼のセットアップにおいて、ソフトハンドオフ条件が適用されない、すなわち、ＭＳ１２は、ＢＴＳ１４Ｃのサービスエリアにのみあることが仮定される。従って、ステップ１０４の期間において、イニシャルＢＴＳ１４ＣとＢＳＣＩ、ここではアンカーＢＳＣという名前が付けられる、は、制御リンクを使用してその呼のためのリソースをセットアップする。
【００４０】
一旦呼がセットアップされたならば、呼のためのアップリンクおよびダウンリンクトラヒックはＵＤＰパケットを使用して、ＢＴＳ１４ＣとアンカーＢＳＣの間で送信される。
【００４１】
第４のステップ１０６において、ＭＳ１２は、ＭＳが２以上のＢＴＳの送信エリア内にある状況に対応する、ソフトハンドオフ条件が適用される領域に移動する。上述したように、２つのタイプのソフトハンドオフがある。両方のタイプにおいて、ＭＳ１２は、イニシャルＢＴＳ以外のＢＴＳからパイロット信号を受信することによりソフトハンドオフが適用される領域にいることを知るようになる。
【００４２】
ソフトハンドオフ状況のタイプに応じて、２つのパスの１つがフローチャート１００によりフォローされる。第１のタイプのハンドオフにおいて、ステップ１０８へのパス１１６がフォローされる。第２のタイプにおいて、ステップ１１２へのパス１１８がフォローされる。
【００４３】
図３に対応するパス１１６において、ステップ１０８において、ＭＳ１２は、アンカーＢＳＣがＢＴＳ３４Ａからパイロット信号を受信したことを示す通知をアンカーＢＳＣ、すなわちＢＳＣＩに送信する。この通知は、アンカーＢＳＣに向けられたＢＴＳ１４ＣからＵＤＰパケットを介して送信される。ＢＳＣＩはＢＴＳ３４Ａを制御しないので、ＭＳ１２は、第１のタイプのソフトハンドオフ条件に移動したアンカーＢＳＣへの表示として、送信された通知が機能することが理解されるであろう。
【００４４】
通知を受信することに応答して、ステップ１１０において、アンカーＢＳＣＩは呼転送トリガーをＢＴＳ３４Ａに送信する。呼転送トリガーは、ステップ１０３においてセットアップされた、アンカーＢＳＣＩとＢＴＳ３４Ａとの間のＡｂｉｓセッションを介して送信される。
【００４５】
ステップ１１２において、トリガーを受信すると、ＢＴＳ３４Ａは、制御しているＢＳＣ、ＢＳＣ２よりはむしろアンカーＢＳＣ、ＢＳＣＩにＭＳ１２からのアップリンク呼トラヒックを送る。アップリンク呼トラヒックはアンカーＢＳＣに向けられたＵＤＰパケットを使用して送信される。ステップ１１２の期間中に、アンカーＢＳＣＩは、ＵＤＰパケットとして、ＢＴＳ１４Ｃを経由してアップリンク呼トラヒックを受信し続ける。
【００４６】
また、トリガーは、両方のＢＴＳｓに向けられたＵＤＰパケットを用いて、アンカーＢＳＣＩにＭＳ１２のためのダウンリンク呼トラヒックをＢＴＳ１４ＣとＢＴＳ３４Ａの両方に送信させる。２つのＢＴＳｓは、両方とも同じ呼トラヒックを有するダウンリンク信号をＭＳ１２に送信する。
【００４７】
最後のステップ１１４において、アンカーＢＳＣ、ＢＳＣＩは、ＢＴＳｓから受信されたアップリンクＵＤＰパケットを使用して最適なアップリンク信号を発生する。技術的に知られているように、最適なアップリンク信号は典型的に、ＢＴＳｓにより別個に受信された送信のいずれかよりも少ない雑音を有するフレームである。次に、アンカーＢＳＣはＭＳＣ２２に最適なアップリンク信号を送る。
【００４８】
同様に、ステップ１１４において、ＭＳ１２は、ＭＳ１２が別個のＢＴＳｓから受信する２つのセットの送信から最適なダウンリンク信号を発生する。
【００４９】
図４に対応して、フローチャートのパス１１８が続くなら、ステップ１０８および１１０は実行されない。なぜならば、第２のタイプのソフトハンドオフを動作するＢＴＳｓは両方とも、同じＢＳＣ，アンカーＢＳＣＩにより制御されるからである。従って、ステップ１０６の後にステップ１１２が続く。ステップ１１２において、ＢＴＳ１４ＢはＭＳ１２との呼トラヒックをアンカーＢＳＣ、ＢＳＣＩに自動的に送る。なぜなら、ＢＳＣＩはＢＴＳ１４Ｂ（並びにＢＴＳ１４Ｃ）を制御するからである。
【００５０】
上述した記載は、ソフトハンドオフの期間中に送信された音声フレームおよびデータフレームを備えた信号に言及したけれども、ソフトハンドオフの期間中に送信されてもよいパイロット強度信号のような他の信号のために実質的に同じプロセスが使用されてもよいことが理解されるであろう。
【００５１】
上述した第１のタイプのソフトハンドオフプロセスにおいて、呼トラヒックは、ＢＳＣＩとＢＳＣ２との間で送信されないことが理解されるであろう。なぜならば、すべての呼トラヒックは、加入するＢＴＳｓから１つのアンカーＢＳＣ、上の例では、ＢＳＣＩに送られるからである。これは従来技術と対称的である。従来技術では、第１のタイプのソフトハンドオフ状況にある呼トラヒックは、典型的にＡ３／Ａ７インターフェースを介してＢＳＣｓの間で転送される。
【００５２】
従って、上述された実施形態は、一例として引用されたものであり、この発明は、上で特に示され、記載されたものに限定されないことが理解されるであろう。どちらかといえば、この発明の範囲は、上に記載した種々の特徴のコンビネーションおよびサブコンビネーションの両方、並びに上述の記載を読むと当業者に生じるおよび従来技術に開示されていない変形例および変更を含む。
【図面の簡単な説明】
【００５３】
【図１】図１はこの発明の実施形態に従って、符号分割多重アクセス（ＣＤＭＡ）セルラーシステムの概略図である。
【図２】図２はこの発明の一実施形態に従って、図１のシステムにおいてソフトハンドオフを実行する際に実施されるステップを示すフローチャートである。
【図３】図３は、この発明の一実施形態に従って、第１のタイプのソフトハンドオフにおいて発生された信号シーケンスを図解する。
【図４】図４は、この発明の一実施形態に従って、第２のタイプのソフトハンドオフにおいて発生された信号シーケンスを図解する。
【図１】
2008505560.tif 000003
【図２】
2008505560.tif 000004
【図３】
2008505560.tif 000005
【図４】
2008505560.tif 000006
【国際調査報告】
2008505560.tif 000007
2008505560.tif 000008